(57)【要約】【課題】利便性に優れたサイドラックを備えたものとする。【解決手段】台所空間とリビング空間との間に設置されるアイランド型もしくは半島型のキッチンキャビネット１であり、キャビネット１１とサイドラック２及びこれらキャビネット及びサイドラック上に配されるトッププレート１０とからなる。側端もしくはリビング空間側の面に配されたサイドラック２は、開放された収納部を備えるとともに、この収納部に収納される物品への電源供給用のレセプタクルユニット４を収納部内に備え、少なくともシンクが設けられた上記トッププレート１０は、上記サイドラックの開口面よりも突出するオーバーハング部を備える。【選択図】図１
2016036462.tif 000002
【特許請求の範囲】
【請求項１】
台所空間とリビング空間との間に設置されるアイランド型もしくは半島型のキッチンキャビネットであって、キャビネットとサイドラック及びこれらキャビネット及びサイドラック上に配されるトッププレートとからなり、キャビネットの側端もしくはリビング空間側の面に配された上記サイドラックは、側方もしくはリビング空間側に向けて開口した収納部を備えるとともに、この収納部に収納される物品への電源供給用のレセプタクルユニットを上記収納部内に備え、少なくともシンクが設けられた上記トッププレートは、上記サイドラックの開口面よりも突出するオーバーハング部を備えていることを特徴とするキッチンキャビネット。
【請求項２】
上記サイドラックは、棚板を有しており、上記レセプタクルユニットは上記棚板の下面側に配されていることを特徴とする請求項１記載のキッチンキャビネット。
【請求項３】
上記サイドラックは、左右が分かれた違い棚型の棚板を収納部に備えるとともに、上記レセプタクルユニットが左右いずれか一方の棚板の下面側に取り付けられており、
上記レセプタクルユニットの前面にある電源プラグ差し込み口はレセプタクルユニットが取り付けられた棚板の前端よりも奥方で且つサイドラック背板よりも前方側に位置し、
上記違い棚型の左右の棚板間が上記電源プラグ差し込み口に接続された電源コードの通線スペースとなっていることを特徴とする請求項１または２記載のキッチンキャビネット。
【請求項４】
上記サイドラックは、上記キャビネットとは別体の筐体として形成されたもので、キャビネット側の面に背板を有して、該背板がキャビネット側のシンクとサイドラックの収納部とを区画していることを特徴とする請求項１〜３のいずれか１項に記載のキッチンキャビネット。
【発明の詳細な説明】
【技術分野】
【０００１】
本発明は、台所空間とリビング空間との間に設置されるアイランド型や半島型のキッチンキャビネットに関するものである。
【背景技術】
【０００２】
台所空間とリビング空間（ダイニング空間を含む）との間に設置されるアイランド型あるいは半島型のキッチンキャビネットは、通常、上記両空間をつなぐ通路となる部分に面する側端面を側板で閉塞したものとなっている。この側端面も物品の収納に使えるようにするために、サイドラックをキッチンキャビネットの上記側端に配したものが特許文献１に示されている。
【先行技術文献】
【特許文献】
【０００３】
【特許文献１】特開平１１−７５９６４号公報
【発明の概要】
【発明が解決しようとする課題】
【０００４】
上記キッチンキャビネットは、そのサイドラックの存在により、側端部にも物品を収納できる上に、ここに収納した物品は出し入れがしやすい。
【０００５】
本発明は上記のようなサイドラックを備えるものにおける利便性を更に高めたキッチンキャビネットを提供することを課題とする。
【課題を解決するための手段】
【０００６】
本発明にかかるキッチンキャビネットは、台所空間とリビング空間との間に設置されるアイランド型もしくは半島型のキッチンキャビネットであって、キャビネットとサイドラック及びこれらキャビネット及びサイドラック上に配されるトッププレートとからなり、キャビネットの側端もしくはリビング空間側の面に配された上記サイドラックは、側方もしくはリビング空間側に向けて開口した収納部を備えるとともに、この収納部に収納される物品への電源供給用のレセプタクルユニットを上記収納部内に備え、少なくともシンクが設けられた上記トッププレートは、上記サイドラックの開口面よりも突出するオーバーハング部を備えていること特徴を有している。
【発明の効果】
【０００７】
本発明によれば、キッチンキャビネットの側端もしくはリビング空間側も収納に利用することができる上に、電源供給用のレセプタクルユニットも備えることから、サイドラックの収納部をタブレット型電気機器や携帯電話等の充電式機器の置き場としても利用することができるものであり、リビング空間からのアクセスも容易であるキッチンキャビネット側端部やキッチンキャビネットのリビング側の面の利便性を高めることができる。
【図面の簡単な説明】
【０００８】
【図１】本発明の実施の形態の一例を示す斜視図である。
【図２】Ａは平面図、Ｂは正面図である。
【図３】同上のサイドラックの斜視図である。
【図４】同上のサイドラックの正面図である。
【図５】図４中のＸ−Ｘ線断面図である。
【図６】図４中のＹ−Ｙ線断面図である。
【図７】図４中のＺ−Ｚ線断面図である。
【発明を実施するための形態】
【０００９】
本発明のキッチンキャビネットは、台所空間とリビング空間との間に設置されるアイランド型もしくは半島型のキッチンキャビネットであり、キャビネットとサイドラック及びこれらキャビネット及びサイドラック上に配されるトッププレートとからなる。そして、キャビネットの側端もしくはリビング空間側の面に配された上記サイドラックは、側方もしくはリビング空間側に向けて開口した収納部を備えるとともに、この収納部に収納される物品への電源供給用のレセプタクルユニットを上記収納部内に備え、少なくともシンクが設けられた上記トッププレートは、上記サイドラックの開口面よりも突出するオーバーハング部を備えている。
【００１０】
上記サイドラックは、棚板を有しており、上記レセプタクルユニットは上記棚板の下面側に配されていることが好ましい。
【００１１】
また、上記サイドラックは、左右が分かれた違い棚型の棚板を収納部に備えるとともに、上記レセプタクルユニットが左右いずれか一方の棚板の下面側に取り付けられており、上記レセプタクルユニットの前面にある電源プラグ差し込み口はレセプタクルユニットが取り付けられた棚板の前端よりも奥方で且つサイドラック背板よりも前方側に位置し、上記違い棚型の左右の棚板間が上記電源プラグ差し込み口に接続された電源コードの通線スペースとなっていることも好ましい。
【００１２】
また、上記サイドラックは、上記キャビネットとは別体の筐体として形成されたもので、キャビネット側の面に背板を有して、該背板がキャビネット側のシンクとサイドラックの収納部とを区画していることが好ましい。
【００１３】
以下本発明を図示の実施形態の一例に基づいて詳述すると、図示例のキッチンキャビネット１は、台所空間とリビング空間（ダイニング空間を含む）との間に置かれるアイランド型もしくは一端が壁面に接続された半島型となっている。そして、複数のキャビネット１１，１２，１３とサイドラック２とを横一列に並べ、その上をトッププレート１０で覆うことによって構成されている。上記キャビネット１１，１２，１３のうち、キャビネット１１はシンク１５の設置用、キャビネット１６は加熱調理器具１６の設置用のものであり、トッププレート１０上にはシンク１５や加熱調理器具１６が配されている。そしてサイドラック２は、シンク１５の設置用のキャビネット１１の横に配されることで、キッチンキャビネット１の側端に位置し、その収納部の開口面を側方（リビング空間側）に向けている。このために、サイドラック２は、リビング空間で使用される物品や小物（例えば書籍やタブレット型電気機器、携帯電話、ティッシュペーパー等）の収納に好適に利用できるものとなっている。
【００１４】
図示例のサイドラック２は、図３以下にも示すように、天板２０と両側の側板２１，２１、地板２２、そして背板２３によって前面（キャビネット１の側端面）が開口する筐体として構成されている。そして側板２１，２１間に掛け渡された棚板３０の他に、左右が分かれるとともに異なる高さに位置する違い棚型の棚板３１，３２を棚板３０の上方に備えている。棚板３１，３２が違い棚型であることから、棚板３１，３２の上方側空間と、棚板３１，３２の下方側空間とは、棚板３１，３２間の空間を通じて繋がった状態にある。
【００１５】
棚板３０よりも上方側に位置する棚板３１，３２のうち、一方の棚板３１の下面側にはボックス３５を付設して、このボックス３５にレセプタクルユニット４を収めている。配線用差込接続器であるレセプタクルユニット４は、汎用の家具用コンセントとして構成されたもので、給電用の電源線はその先端の被覆を剥いだ状態でレセプタクルユニット４に差し込むことで接続される。この電源線は、キッチンキャビネット１内あるいはキッチンキャビネット１の背面側に配した袖壁５（図１参照）内を通じてレセプタクルユニット４に接続されている。
【００１６】
レセプタクルユニット４前面の２口の電源プラグ差し込み口４０は、ボックス３５の前面に露出している。また、棚板３０〜３２は、その前縁がサイドラック２の前面開口面とほぼ同じ位置にあるのに対して、ボックス３５及びレセプタクルユニット４の前面は、上記開口面より少し奥まったところに位置している。この後退量は、５０ｍｍ前後が適当であるが、この数値に限定されるものではない。要は、電源プラグ差し込み口４０に接続した電源プラグやＡＣアダプターがサイドラック２前面よりも外側に大きく飛び出ることがなければよい。
【００１７】
家具にコンセントを配置する場合、通常、家具の前面か、家具の背板の前面側に設置している。そして、前者では接続した電源コードやＡＣアダプターなどが家具の表面から飛び出て、邪魔になったり、電源コードを引っかけて、電源コードで接続された電気機器を落下させたり倒してしまったりすることが生じる。接続する電気機器が、タブレット型の機器や、携帯電話等の軽量機器である場合、なおさら落下させてしまう虞が高くなる。
【００１８】
後者では、棚板上の物品が邪魔で接続に手間取ったりする上に、高さの低いところにコンセントがある場合、しゃがんで覗きこまなくては、電源プラグ差し込み口の位置が判らず、使い勝手が悪い。
【００１９】
これに対して、本実施例にかかるものでは、サイドラック２の前面開口面より少し奥で且つ背板２３よりも前方側に電源プラグ差し込み口４０があるために、電源プラグ差し込み口４０への電源コードの接続が容易である。しかも、電源プラグ差し込み口４０に接続した電源コードやＡＣアダプターなどが、サイドラック２の前面開口より外側に出てしまわないために、使い勝手もよい。
【００２０】
加えるに、レセプタクルユニット４を介して電源を取る電気機器６を、レセプタクルユニット４よりも上方の棚板３１上や異なる棚板３２上に電気機器６を置く場合、電源コードは棚板３１，３２の間を通すことができる。つまり、棚板３１，３２の前方側を電源コードが通る状態が生じてしまうことを避けることができる。このために電気機器６を棚板３０上に置く場合はもちろん、棚板３１や棚板３２上に置く場合にも、サイドラック２の前面よりも電源コードが飛び出ず、電源コードを引っかけてしまう虞をなくすことができる。
【００２１】
なお、図示例のように、サイドラック２が奥行きの浅いものである上に、棚板３０〜３２上に、電気機器を置くことを想定していることから、本例における各棚板３０〜３２は、全てその前縁に上方に立ち上がる落下防止柵３３を備えたものとしている。
【００２２】
ちなみに、図１において、棚板３２上には、その落下防止柵３３を利用してタブレット型電気機器６を立てかけた状態で置いており、棚板３１上には、ティッシュペーパボックス７を横向きで置いてティッシュ取り出し口をサイドラック２の前面開口側に向けている。これらの前倒れを防ぐために、天板２０の前縁下面に垂れ壁３８を設けることも好ましい。
【００２３】
図示例におけるサイドラック２の棚板３０の下方空間は、雑誌や新聞を入れるマガジンラック８としての使用を想定したものとなっており、図中３４は落下防止バーである。
【００２４】
ところで、レセプタクルユニット４を天板２０の下面にではなく、棚板３１の下面の少し奥まった位置に配置しているのは、このサイドラック２がキッチンキャビネット１という水回り機器に組み込んで設置するものであることを考慮したためでもある。
【００２５】
ここにおけるキッチンキャビネット１は、そのトッププレート１０がサイドラック２の前面開口よりも突出するオーバーハング部１８を有しているために、トッププレート１０上に水をこぼしても、殆どの水はトッププレート１０の端縁から垂れ落ちることになる。従って、トッププレート１０の下面を伝ってサイドラック２にまで水が回ることは殆どない。また、たとえサイドラック２にまで水が回ってきて、天板２０から水が垂れ落ちるようなことがあっても、レセプタクルユニット４は棚板３１の下面側の奥まった位置にあるために、レセプタクルユニット４まで水が回ってしまうことがない。
【００２６】
なお、ここで言う「違い棚型」は、左方の棚板３１と右方の棚板３２が分離していることを意味し、上下にオーバーラップするものであってもよいのはもちろんであるが、左右の棚板３１，３２が同じ高さにあってもよい。つまり、左右の棚板３１，３２間に、レセプタクルユニット４に接続した電源コードを棚板３１，３２の上方側に回す通線スペース７を確保しているものであればよい。このような違い棚型とした場合、落下防止柵３３を棚板３１，３２に付設しても、棚板３１，３２上に溜まった埃も拭きやすいものとなる。
【００２７】
また、図示例のサイドラック２は、その奥行きが９０ｍｍほどの狭いものであるが、奥行きがもっと深いものであってもよい。更には、図１において袖壁５を配置しているキッチンカウンター１の背面部分に設置して、リビング空間側に開口を向けるものであってもよい。
【符号の説明】
【００２８】
１  キッチンキャビネット
２  サイドラック
４  レセプタクルユニット
１０  トッププレート
１１  キャビネット
１２  キャビネット
１３  キャビネット
３０  棚板
３１  棚板
３２  棚板
３３  落下防止柵
３４  落下防止バー
３５  ボックス
４０  電源プラグ差し込み口
【図１】
2016036462.tif 000003
【図２】
2016036462.tif 000004
【図３】
2016036462.tif 000005
【図４】
2016036462.tif 000006
【図５】
2016036462.tif 000007
【図６】
2016036462.tif 000008
【図７】
2016036462.tif 000009